(57)【特許請求の範囲】
【請求項１】
帯状ゴム部材の搬送方向先端側をタイヤ成型ドラムの外周又は前記タイヤ成型ドラムの外周に取り付けられた部材に固定するために設けられ、前記タイヤ成型ドラムの外周に対して着脱可能な押さえ治具と、
前記タイヤ成型ドラムの近傍に設けられ、少なくとも押さえ治具を装着する際には前記帯状ゴム部材の幅方向両端部から離間し、前記タイヤ成型ドラムを回転させて前記帯状ゴム部材を前記タイヤ成型ドラムに巻き取る際には前記帯状ゴム部材の幅方向両端部を支持して前記帯状ゴム部材が前記タイヤ成型ドラムの外周に前記タイヤ成型ドラムの外周方向に沿って直線的に貼着されるようにガイドを行う一対のガイド手段と、
を備えたことを特徴とする帯状ゴム部材の貼付装置。
【請求項２】
前記ガイド手段よりもタイヤ成型ドラム回転方向下流側に、前記帯状ゴム部材の継ぎ目を押圧する先端押さえ装置を設けた、ことを特徴とする請求項１に記載の帯状ゴム部材の貼付装置。
【請求項３】
帯状ゴム部材をタイヤ成型ドラムに貼り付ける帯状ゴム部材の貼付方法であって、
コンベアによって搬送された帯状ゴム部材の先端部を一対のガイド手段間に位置させる第１の工程と、
前記一対のガイド手段同士を接近させ、前記一対のガイド手段の間隔寸法を前記帯状ゴム部材の幅に合わせることで前記帯状ゴム部材の先端部の位置を定める第２の工程と、
前記一対のガイド手段を前記帯状ゴム部材から離間させる第３の工程と、
押さえ治具で帯状ゴム部材の搬送方向先端側をタイヤ成型ドラムの外周又は前記タイヤ成型ドラムの外周に取り付けられた部材に固定する第４の工程と、
前記一対のガイド手段同士を接近させて前記一対のガイド手段の間隔寸法を前記帯状ゴム部材の幅に合わせると共に、前記タイヤ成型ドラムを回転させて前記帯状ゴム部材を前記タイヤ成型ドラムを１周する分の長さ巻き取る第５の工程と、
先端押さえ装置で前記帯状ゴム部材の継ぎ目を押圧して前記帯状ゴム部材の先端部と後端部を接続する第６の工程と、
前記押さえ治具を前記タイヤ成型ドラムから取り外す第７の工程と、
を順に行うことを特徴とする帯状ゴム部材の貼付方法。
【発明の詳細な説明】
【０００１】
【産業上の利用分野】
本発明は、帯状ゴム部材、例えば、ゴムストリップ部材をタイヤ成型ドラム上へ貼り付ける際に用いられる帯状ゴム部材の貼付装置、及び帯状ゴム部材をタイヤ成型ドラム上に貼り付ける帯状ゴム部材の貼付方法に関する。
【０００２】
【従来の技術】
従来、成型ドラム上にゴムストリップ材料等の柔軟な帯状部材の先端を固定して貼着する装置として、特開昭６３−９５９３９号に提案されているような貼着装置がある。
【０００３】
この貼着装置は、帯状部材の先端を押さえる押さえ治具を備えており、この押さえ治具によって、帯状部材の形状、重さに関係なく帯状部材の先端を成型ドラムへ確実に固定することができる。
【０００４】
【発明が解決しようとする課題】
しかしながら、押出機から押し出された生のゴム材料は柔軟であり、搬送用のベルトコンベアから搬送されて成型ドラム上へ搬送する際に、先端部のドラム上の位置がズレる恐れがあり、そのまま固定して貼り付けを行うと指定位置からずれることになる。また、ゴムストリップ材料等の柔軟な帯状部材は、搬送途中で蛇行することがある。このため、成型ドラムの外周に巻き付ける際に、帯状部材が周方向に沿って直線的に貼着できない場合がある。また、ベルトコンベアから後端が外れると、後端側がフリーになり、先端位置と後端位置とが合わない場合も生じ、後に修正作業が必要となる。
【０００５】
本発明は上記事実を考慮し、搬送されてくる柔軟な帯状ゴム部材をタイヤ成型ドラム上の所定位置に確実に貼着することのできる帯状ゴム部材の貼付装置、及び帯状ゴム部材の貼付方法を提供することが目的である。
【０００６】
【課題を解決するための手段】
請求項１に記載の発明は、帯状ゴム部材の搬送方向先端側をタイヤ成型ドラムの外周又は前記タイヤ成型ドラムの外周に取り付けられた部材に固定するために設けられ、前記タイヤ成型ドラムの外周に対して着脱可能な押さえ治具と、前記タイヤ成型ドラムの近傍に設けられ、少なくとも前記押さえ治具を装着する際には前記帯状ゴム部材の幅方向両端部から離間し、前記タイヤ成型ドラムを回転させて前記帯状ゴム部材を前記タイヤ成型ドラムに巻き取る際には前記帯状ゴム部材の幅方向両端部を支持して前記帯状ゴム部材が前記タイヤ成型ドラムの外周に前記タイヤ成型ドラムの外周方向に沿って直線的に貼着されるようにガイドを行う一対のガイド手段と、を備えたことを特徴としている。
請求項２に記載の発明は、請求項１に記載の帯状ゴム部材の貼付装置において、前記ガイド手段よりもタイヤ成型ドラム回転方向下流側に、前記帯状ゴム部材の継ぎ目を押圧する先端押さえ装置を設けた、ことを特徴としている。
請求項３に記載の発明は、帯状ゴム部材をタイヤ成型ドラムに貼り付ける帯状ゴム部材の貼付方法であって、コンベアによって搬送された帯状ゴム部材の先端部を一対のガイド手段間に位置させる第１の工程と、前記一対のガイド手段同士を接近させ、前記一対のガイド手段の間隔寸法を前記帯状ゴム部材の幅に合わせることで前記帯状ゴム部材の先端部の位置を定める第２の工程と、前記一対のガイド手段を前記帯状ゴム部材から離間させる第３の工程と、押さえ治具で帯状ゴム部材の搬送方向先端側をタイヤ成型ドラムの外周又は前記タイヤ成型ドラムの外周に取り付けられた部材に固定する第４の工程と、前記一対のガイド手段同士を接近させて前記一対のガイド手段の間隔寸法を前記帯状ゴム部材の幅に合わせると共に、前記タイヤ成型ドラムを回転させて前記帯状ゴム部材を前記タイヤ成型ドラムを１周する分の長さ巻き取る第５の工程と、先端押さえ装置で前記帯状ゴム部材の継ぎ目を押圧して前記帯状ゴム部材の先端部と後端部を接続する第６の工程と、前記押さえ治具を前記タイヤ成型ドラムから取り外す第７の工程と、を順に行うことを特徴としている。
【０００７】
【作用】
搬送されて来た帯状ゴム部材の先端をタイヤ成型ドラムの外周又はタイヤ成型ドラムの外周に取り付けられた部材に載せ、押さえ治具をタイヤ成型ドラムの外周に装着して帯状ゴム部材の先端側をタイヤ成型ドラムの外周又はタイヤ成型ドラムの外周に取り付けられた部材へ固定する。搬送されてくる帯状ゴム部材の幅方向両端部を一対のガイド手段によりガイドしつつ、タイヤ成型ドラムを回転させ、帯状ゴム部材をタイヤ成型ドラムの外周又はタイヤ成型ドラムの外周に取り付けられた部材に巻き付ける。これによって、仮に帯状ゴム部材が蛇行して搬送されて来たとしても、ガイド部材によって蛇行が修正されるので、帯状ゴム部材をタイヤ成型ドラムの所定位置へ、外周方向に沿って直線的に貼り付けることができる。
【０００８】
【実施例】
〔第１実施例〕
本発明の帯状ゴム部材の貼付装置１０の第１実施例を図１乃至図８にしたがって説明する。
【０００９】
この帯状ゴム部材の貼付装置１０は、ガイド装置１８、治具装着装置２６及び押さえ治具３６（共に後で詳細を述べる）を備えている。
【００１０】
図１に示すように、帯状ゴム部材１２（例えば、自動車用タイヤのフィーラー等）を搬送するベルトコンベア１４の搬送方向下流側（矢印Ｂ方向側）には、周知のタイヤ成型ドラム１６が配設されている。なお、ベルトコンベア１４の上流側には、図示しない押出工程で台車に巻き取られた帯状ゴム部材が配設されている。
【００１１】
タイヤ成型ドラム１６は、回転軸の軸方向（矢印Ａ方向）が帯状ゴム部材１２の搬送方向とは直交方向とされ、上端が、ベルトコンベア１４の上面の延長線上に位置している。本実施例のタイヤ成型ドラム１６は、外周面が厚さ２〜３mm程度のゴムで被覆された鋼製とされている。
【００１２】
タイヤ成型ドラム１６の上方には、軸方向両端部側に、それぞれガイド装置１８が設けられている。
【００１３】
ガイド装置１８は、タイヤ成型ドラム１６の軸方向と平行とされたシリンダー装置２０を有しており、各シリンダー装置２０のシリンダロッド２０Ａは、互いに向かい合って伸縮するようになっている。なお、ガイド装置１８は、図示しないフレームに支持されている。
【００１４】
シリンダロッド２０Ａの先端には、ガイド手段としてのガイド板２２が取り付けられている。
【００１５】
ガイド板２２は、長方形の板材で形成されており、長手方向が帯状ゴム部材１２の搬送方向に沿って配設されており、ベルトコンベア１４側の端部が互いに離れる側へ湾曲している。
【００１６】
ガイド板２２には、ベアリングローラー２４がシリンダー装置２０側の面に取り付けられている。図２に示すように、ベアリングローラー２４は、外周部分がガイド板２２の下端よりも突出してタイヤ成型ドラム１６の外周面に当接して回転できるようになっており、ガイド板２２の下端をタイヤ成型ドラム１６から所定寸法離間させている。
【００１７】
なお、これらのシリンダー装置２０は、図示しない制御装置によって駆動が制御される。
【００１８】
図１に示すように、タイヤ成型ドラム１６の上方には、ガイド装置１８の間に治具装着装置２６及び先端押さえ装置２８が配設されている。
【００１９】
図２及び図３に示すように、治具装着装置２６は、タイヤ成型ドラム１６の軸線に垂直とされたシリンダー装置３０を備えている。シンリンダー装置３０は、タイヤ成型ドラム１６の軸方向に一対のシリンダロッド３０Ａを備えており、シリンダロッド３０Ａは、タイヤ成型ドラム１６側へ伸縮できるようになっている。
【００２０】
このシリンダロッド３０Ａの先端には、治具把持装置３２が取り付けられている。治具把持装置３２には、タイヤ成型ドラム１６の軸方向に沿って接離移動する一対の挟持爪３４を備えている。なお、挟持爪３４の先端は互いに内向きに折れ曲がっている。
【００２１】
図３に示すように、この挟持爪３４は、押さえ治具３６を挟持するようになっている。押さえ治具３６は、軸方向が長手方向とされた矩形板３８を備えており、矩形板３８の上面には、長手方向略中央部にＴ字状の把持部４０が固着されている。
【００２２】
矩形板３８の下面には、長手方向一方側に略直方体形状の磁石４２が固着されている。なお、図２に示すように、磁石４２のタイヤ成型ドラム１６側の面は、円弧状に形成されており、その曲率半径はタイヤ成型ドラム１６の半径と同一とされている。
【００２３】
図３に示すように、矩形板３８の磁石４２側とは反対側の端面には、矩形板３８の下側に所定間隔を置いて斜めに配設される板ばね４４の一端が固着されている。
【００２４】
図２に示すように、治具装着装置２６の矢印Ｂ方向側に、先端押さえ装置２８が配設されている。先端押さえ装置２８は、シリンダー装置４６を備えている。シリンダー装置４６は、タイヤ成型ドラム１６の外周面に垂直とされ、かつシリンダー装置４６の軸線の延長線上にタイヤ成型ドラム１６の回転軸が有るように配設されている。シリンダー装置４６のシリンダロッド４６Ａはタイヤ成型ドラム１６側へ伸縮するようにされており、先端部には、タイヤ成型ドラム１６と平行とされた押圧部材４８が固着されている。
【００２５】
次に、本実施例の作用を説明する。
（１）  先ず、帯状ゴム部材１２をタイヤ成型ドラム１６へ貼着する前の帯状ゴム部材の貼付装置１０の初期状態を説明する。
【００２６】
初期状態では、押さえ治具３６は治具装着装置２６の挟持爪３４によって把持され、タイヤ成型ドラム１６から所定寸法離された所に位置している（図３参照）。
（２）  次に、図４に示すように、図示されない押出成型機から押出成型された帯状ゴム部材１２を、ベルトコンベア１４によって搬送してタイヤ成型ドラム１６上に一定量送り込み、帯状ゴム部材１２の先端部をガイド板２２の間に位置させたら、ベルトコンベア１４を停止する。
（３）  次に、シリンダー装置２０を作動させて、図５に示すようにガイド板２２同士を接近させ、ガイド板２２の間隔寸法を、帯状ゴム部材１２の幅に合わせて停止させる。これによって、帯状ゴム部材１２の先端部のタイヤ成型ドラム１６上の位置が定まる。
（４）  次に、シリンダー装置２０を作動させて、ガイド板２２を帯状ゴム部材１２から離間させる。
（５）  治具装着装置２６のシリンダー装置３０を作動させ、シリンダロッド３０Ａを伸ばして押さえ治具３６をタイヤ成型ドラム１６側へ移動させる。押さえ治具３６の磁石４２がタイヤ成型ドラム１６に吸着したら、シリンダー装置３０の作動を停止して挟持爪３４を離す。これによって押さえ治具３６の板ばね４４がタイヤ成型ドラム１６の外周面へ帯状ゴム部材１２の先端側を押し付け、帯状ゴム部材１２の先端側を固定する（図６参照）。
（６）  次に、ベルトコンベア１４を作動させると共にタイヤ成型ドラム１６を若干回転させ、押さえ治具３６をガイド板２２の間から離した後、再び、シリンダー装置２０を作動させて、ガイド板２２同士を接近させ、ガイド板２２の間隔寸法を、帯状ゴム部材１２の幅に合わせる（図７参照）。
（７）  ベルトコンベア１４を作動させると共にタイヤ成型ドラム１６を回転させ、帯状ゴム部材１２をタイヤ成型ドラム１６の外周に巻き付ける。帯状ゴム部材１２は、両幅がガイド板２２にガイドされるため、蛇行することなくタイヤ成型ドラム１６上を周方向に沿って直線状に巻き取られ貼着される。
（８）  帯状ゴム部材１２がタイヤ成型ドラム１６を１周する長さを搬送したら、ベルトコンベア１４及びタイヤ成型ドラム１６を停止させ、１周分の長さの位置で帯状ゴム部材１２を切断し、その後、ベルトコンベア１４を作動させると共にタイヤ成型ドラム１６を更に矢印Ｃ方向に回転させて帯状ゴム部材１２を順次タイヤ成型ドラム１６の外周面に貼着する。
（９）  タイヤ成型ドラム１６がほぼ一周回転して、押さえ治具３６がガイド板２２の近傍に位置し、帯状ゴム部材１２の両端部の継ぎ目が先端押さえ装置２８の押圧部材４８の真下に位置したら、ベルトコンベア１４の作動を停止すると共にタイヤ成型ドラム１６の回転を停止する（図８参照）。
（１０）  次に、シリンダー装置４６を作動させ、押圧部材４８で帯状ゴム部材１２の継ぎ目を押圧して帯状ゴム部材１２の先端部と後端部とを接続する。
（１１）  その後、タイヤ成型ドラム１６を回転させ、押さえ治具３６を治具装着装置２６の真下へ位置させ、押さえ治具３６を挟持爪３４で把持してタイヤ成型ドラム１６から取り外す。
【００２７】
以上によって、帯状ゴム部材１２のタイヤ成型ドラム１６への貼着が終了する。
以上説明したように、本実施例の帯状ゴム部材の貼付装置１０は、帯状ゴム部材１２の先端の位置がガイド装置１８によって決められ、押さえ治具３６で固定され、さらに、巻取り時においてはガイド装置１８によって、帯状ゴム部材１２の巾方向への移動、即ち蛇行が修正されるため、柔軟な帯状ゴム部材１２をタイヤ成型ドラム１６の所定位置に外周方向へ沿って直線的に且つ確実に貼着することができる。
【００２８】
なお、前記実施例では、帯状ゴム部材１２の貼着時に、搬送される帯状ゴム部材１２の両端部をガイドするようにしたが、一旦、タイヤ成型ドラム１６の外周面に帯状ゴム部材１２を巻き付け、その後、ガイド板２２ガイド板２２の間隔寸法を帯状ゴム部材１２の幅に一致させてタイヤ成型ドラム１６を回転させることにより、仮に蛇行して巻き付けられた帯状ゴム部材１２であっても、所定位置に直線的となるように修正することができる。
【００２９】
また、前記実施例では、押さえ治具３６の長手方向をタイヤ成型ドラム１６の軸方向に沿って配設して帯状ゴム部材１２の先端を固定するようにしたが、図９に示すように、押さえ治具３６の長手方向をタイヤ成型ドラム１６の接線方向に沿って配設して帯状ゴム部材１２の先端を固定するようにしてもよい。この場合、治具装着装置２６の挟持爪３４の移動方向は、タイヤ成型ドラム１６の接線方向に沿った方向とすれば良い。
【００３０】
〔第２実施例〕
本発明の第２実施例を図１０にしたがって説明する。
【００３１】
なお、第１実施例と同一構成に関しては同一符号を付し、その説明は省略する。
【００３２】
本実施例のガイド板２２には、帯状ゴム部材１２の搬送経路側に、ガイド手段としてのガイドローラー５２が設けられている。このガイドローラー５２は、接線方向が帯状ゴム部材１２の搬送経路方向（矢印Ｂ方向）に沿っている。本実施例では、帯状ゴム部材１２がガイドローラー５２に接してガイドされるため、搬送中の帯状ゴム部材１２の両端部の擦れを防止することができる。
【００３３】
なお、前記第１、２実施例では、板ばね４４によって帯状ゴム部材１２をタイヤ成型ドラム１６へ押圧するようにしたが、板ばね４４の代わりに、コイルスプリング、スポンジ、ゴム等の弾性部材を用いても良い。
【００３４】
また、前記第１、２実施例では、鋼製のタイヤ成型ドラム１６に磁石４２を吸着させて押さえ治具３６を固定するようにしたが、本発明はこれに限らず、タイヤ成型ドラム１６に電磁石を設けて押さえ治具３６を吸着するようにしてもよい。この場合、押さえ治具３６には、磁石を設けても良く、磁石の代わりに鉄片を設けてもよい。
【００３５】
また、前記第１、２実施例では、ガイド板２２、治具把持装置３２及び押圧部材４８をシリンダー装置を用いて移動するようにしたが、本発明はこれに限らず、ガイド板２２、治具把持装置３２及び押圧部材４８はモーター等の他の駆動手段で移動させても良い。
【００３６】
さらに、押さえ治具３６をタイヤ成型ドラム１６に固定する場合には、前述したような磁力による吸着の他に、例えば、減圧によって押さえ治具３６を吸着しても良い。この場合には、タイヤ成型ドラム１６に空気を吸引する吸引孔を設け、押さえ治具３６を吸着して固定すれば良い。
【００３７】
【発明の効果】
以上説明したように、本発明の帯状ゴム部材の貼付装置、及び帯状ゴム部材の貼付方法では、搬送されてくる柔軟な帯状ゴム部材をタイヤ成型ドラム上の所定位置に確実に貼着でき、後の位置修正作業も不要になるという優れた効果を有する。
【図面の簡単な説明】
【図１】  本発明の第１実施例に係る帯状ゴム部材の貼付装置の斜視図である。
【図２】  図１に示す帯状ゴム部材の貼付装置の側面図である。
【図３】  図１に示す帯状ゴム部材の貼付装置を帯状ゴム部材の搬送方向下流側から見た正面図である。
【図４】  帯状ゴム部材の先端をタイヤ成型ドラムに載せた状態を示すタイヤ成型ドラム近傍を上からみた平面図である。
【図５】  帯状ゴム部材の先端をガイド板で挟んだ状態を示すタイヤ成型ドラム近傍を上からみた平面図である。
【図６】  帯状ゴム部材の先端を押さえ治具で固定した状態を示すタイヤ成型ドラム近傍を上からみた平面図である。
【図７】  搬送される帯状ゴム部材の両端部をガイド板でガイドしている状態を示すタイヤ成型ドラム近傍を上からみた平面図である。
【図８】  所定長さの帯状ゴム部材が巻き取られた状態を示すタイヤ成型ドラム近傍を上からみた平面図である。
【図９】  押さえ治具による帯状ゴム部材の先端の他の固定方法を示す、帯状ゴム部材の貼付装置及びタイヤ成型ドラムの側面図である。
【図１０】  本発明の第２実施例に係り、帯状ゴム部材の貼付装置のガイド板の斜視図である。
【符号の説明】
１０    帯状ゴム部材の貼付装置
１２    帯状ゴム部材
１６    タイヤ成型ドラム
２２    ガイド板（ガイド手段）
３６    押さえ治具
５２    ガイドローラー（ガイド手段）
【図１】
0003926856.tif 000002
【図２】
0003926856.tif 000003
【図３】
0003926856.tif 000004
【図４】
0003926856.tif 000005
【図５】
0003926856.tif 000006
【図６】
0003926856.tif 000007
【図７】
0003926856.tif 000008
【図８】
0003926856.tif 000009
【図９】
0003926856.tif 000010
【図１０】
0003926856.tif 000011